(57)【要約】【課題】  スイッチケースを小型化することができ、スイッチ回路への不正行為を確実に防止することができる遊技機の押しボタン装置を提供する。【解決手段】  遊技機の前面扉表面に顕出する表装板２３を有するケース本体１８ａに、ストップボタンを構成する押しボタン２０の複数を、その頂部がそれぞれ表装板２４から常時突出し、かつ下方に押圧可能に配置するとともに、ケース本体１８ａの下部に設けた基板１９に、それぞれリードスイッチ４１を、前記各押しボタン２０の下部の一部に取付けた磁石４０に相対させて配置し、押しボタン２０の下降によって、前記磁石４０をリードスイッチ４１に近接させて作動させ、もってリールを回転もしくは停止、押しボタンを裏面側から照射する発光ダイオード２５への電流を供給もしくは停止するよう構成する。【選択図】        図１
2006175115.tif 000002
【特許請求の範囲】
【請求項１】
遊技機の前面扉表面に顕出する表装板を有するケース本体に、ストップボタンを構成する押しボタンの複数を、その頂部がそれぞれ前記表装板から常時突出し、かつ下方に押圧可能に配置するとともに、
前記ケース本体下部に設けた基板に、それぞれリードスイッチを、前記各押しボタンの下部の一部に取付けた磁石に相対させて配置し、
前記押しボタンの下降によって、押しボタンに付設された磁石を前記リードスイッチに近接させて作動させ、もってリールを回転もしくは停止させ、かつ前記押しボタンを裏面側から照射する発光ダイオードへ電流を供給もしくは停止するよう構成されていること
を特徴とする遊技機の押しボタン装置。
【請求項２】
前記押しボタンは、
頂部が閉塞された円筒状の押しボタン主体と、この押しボタン主体に内装される円筒状の内筒と、この内筒の下部に垂設された帯状の操作片と、この内筒の中心部に配置される発光ダイオードとから構成されるもので、前記操作片の先端部には磁石が付設されていること
を特徴とする請求項１に記載の遊技機の押しボタン装置。
【請求項３】
前記スイッチケースは、
表装板に複数の有底の開口が形成され、各有底部の外周部には、前記操作片を挿通させるための挿通孔がそれぞれ形成され、前記有底部と前記押しボタンを構成する内筒底面との間にバネが弾装されていること
を特徴とする請求項１に記載の遊技機の押しボタン装置。
【請求項４】
前記押しボタンは、
頂部が閉塞された円筒状の押しボタン主体と、この押しボタン主体に内装される円筒状の内筒とからなるもので、前記内筒は、その内周面を上端から下端に向けて肉厚となる逆円錐形に形成して反射面としたこと
を特徴とする請求項１に記載の遊技機の押しボタン装置。
【請求項５】
前記基板は、
前記発光体が上面側に、リードスイッチおよびはコネクタ等の電装部品は、下面側に設けられていること
を特徴とする請求項１に記載の遊技機の押しボタン装置。
【請求項６】
遊技機に遊技動作を行わせるボタン操作を行うための操作面を形成するものとして、前記ボタン操作の方向に移動可能で、遊技の結果を出すための前記ボタン操作を行うための押しボタン部材と、押しボタン部材の裏面から光を照射する発光体と、押しボタン部材に連動して、前記遊技機内部の回路の制御を行うためのボタン連動手段とからなる遊技機の押しボタン装置において、
前記ボタン連動手段は、押しボタン部材の下端側に設けた磁石と、この磁石に反応するリードスイッチとからなること
を特徴とした遊技機の押しボタン装置。
【発明の詳細な説明】
【技術分野】
【０００１】
この発明は、スロットマシンやパチンコ機等の遊技機に用いられ、遊技操作を行うための押しボタン装置に関するものである。
【背景技術】
【０００２】
いわゆるパチスロ機１は、図３に示すように、前面に開閉可能な前面扉２を有する筐体３を備え、この前面扉２には、その前面のパネル表示部３ａの中央より上部に３個の表示窓４ａ〜４ｃが設けられ、各表示窓４ａ〜４ｃには、筐体３の内部に配置した３個のリール５ａ〜５ｃの外周表面がそれぞれ臨んでいる。
【０００３】
また、各表示窓４ａ〜４ｃの周辺には、各表示窓４ａ〜４ｃを横断して、有効となる入賞ラインを表示するための入賞ライン表示６ａ〜６ｅが施されている。この入賞ライン表示６ａ〜６ｅは、横３本と、この横線と交差する斜め２本の合計５本からなるもので、各入賞ライン表示６ａ〜６ｅの左端側には、有効となる入賞ラインを表示するための有効ライン表示ランプ７ａ〜７ｅが設けられている。
【０００４】
さらに、各表示窓４ａ〜４ｃの下側には、遊技に供するコインを１枚ずつ投入するためのコイン投入口８と、クレジットされた範囲内で遊技に供するコインを１枚ずつ投入するためのベットボタン９と、クレジットされた範囲内で遊技に供するコインを最大許容賭け数（たとえば３枚）まで投入するためのマックスベットボタン１０が設けられている。
【０００５】
さらにまた、各表示窓４ａ〜４ｃの下側には、遊技者が獲得したコインをクレジットするか、払い出すかを切り替えるためのＣ／Ｐボタン１１と、コインの投入を条件として各リール５ａ〜５ｃの回転を開始させるためのスタートボタン（スタートレバー）１２と、各リール５ａ〜５ｃに個別に対応して、各リール５ａ〜５ｃの回転を停止させるための３個のストップボタン１３ａ〜１３ｃが設けられている。
【０００６】
前記有効ライン表示ランプ７ａ〜７ｃの下には、貯留されているメダルの枚数を表示するため、７セグメントＬＥＤから構成されたクレジット表示部３６が設けられ。
【０００７】
また、各表示窓４ａ〜４ｃの右側には、当り表示ランプ（いわゆるＷＩＮランプ）３４および払出表示部３５が設けられる。前記当り表示ランプ３４は、ビッグボーナス（ＢＢ）又はレギュラーボーナス（ＲＢ）に内部当選した場合に所定確率で点灯し、ＢＢ又はＲＢの入賞が成立したことにより消灯する。
前記ビッグボーナス（ＢＢ）は、遊技者に相対的に大きい利益を与えるゲームを所定回数行える役で、レギュラーボーナス（ＲＢ）は遊技者に相対的に小さい利益を与えるゲームを所定回数行える役で、これらＢＢ及びＲＢを総称して、以下「ボーナス」という。
なお、前記払出表示部３５は、７セグメントＬＥＤからなるもので、入賞成立時のメダルの払出枚数を表示する。
【０００８】
また、前記パネル表示部３ａの右側上部には、ボーナス遊技情報表示部３７が設けられる。このボーナス遊技情報表示部３７は、７セグメントＬＥＤからなるもので、ボーナス中一般遊技状態におけるゲームの回数等を表示する。さらに、各表示窓４ａ〜ｃの下方には、水平面の台座部３２が形成され、その台座部３２と前期表示窓４ａ〜ｃとの間には、遊技に関連する情報等を表示するための液晶表示装置３１が設けられている。
【０００９】
前記液晶表示装置３１は、前記リール５ａ〜５ｃの前の、フロントセンターガラス全面に１５インチフルカラー透明液晶を搭載したもので、コンピュータグラフィックスとリールの織り成す立体感のある演出が可能である。
【００１０】
また、前記３個のストップボタン１３ａ〜ｃの右隣には、選択ボタン３３ａと決定ボタン３３ｂとが設けられている。一方の選択ボタン３３ａは、「大当たり確率」「ビックボーナス確率」「レギュラー確率」「小役確率」「一日の当該機のスランプグラフ」などを選択するもので、他方の決定ボタン３３ｂは、選択ボタン３３ａの選択に基づいて、該当項目を液晶表示装置３１に表示させるものである。
【００１１】
また、前面扉２の下部には、賞として払い出されたコインを受け入れるためのコイントレイ１４が設けられ、このコイントレイ１４に臨むようにして、コイン払出口１５が設けられている。また、コイントレイ１４の上方に位置する前面扉２の前面上部には、スピーカ１７が設けられ、このスピーカ１７の間には、入賞図柄の組合せ及びメダルの配当枚数等を表示する配当表パネル３８が設けられている。
【００１２】
このようなパチスロ機１において、ボタン装置としては、前記のベットボタン９、マックスベットボタン１０およびその他種々のものがあるが、代表的なものは、ストップボタン１３ａ〜１３ｃである。
【００１３】
このストップボタン１３ａ〜１３ｃは、特開平８−２９８０４２号公報（特許文献１）にも示されるように、パチスロ機１の前面上部に設けられている複数個のリール５ａ〜５ｃに対応して配置され、遊技時には、これらのストップボタン１３ａ〜１３ｃを押すことによって、回転しているリール５ａ〜５ｃを停止させ、この時に表示されるリール５ａ〜５ｃの絵柄の組合せに従って、種々の入賞や外れが発生する。
【００１４】
このストップボタン１３ａ〜１３ｃの一例を、図４に示す。前記ストップボタン１３ａ〜１３ｃは、基本的には、基板１９と、押しボタン部材２０と、前記基板１９上に取付けられている発光ダイオード２５やリードスイッチ４１などの部品から構成されたもので、これら構成部品は、合成樹脂で成形されたケース本体１８ａと、このケース本体１８ａの底部に着脱自在に取付けられる底板１８ｂとからなるスイッチケース１８内にそれぞれ装着されるものである。
【００１５】
前記押しボタン部材２０は、ボタン操作を行うための操作面を形成する前面部材で、着色透明の合成樹脂で作られた筒状の蓋で構成され、前面ケース本体１８に設けられた開口２３内にそれぞれ嵌装されるものであって、前記押しボタン部材２０の上面は、上方に隆起した略楕円形の曲面として形成され、前面ケース本体１８の表装部２４の表面にわずかに突出するように取付けられている。
【００１６】
各ストップボタン１３ａ〜１３ｃは、その内部に発光体の一種の発光ダイオード２５を有するもので、各押しボタン部材２０の内側には、発光ダイオード２５の周囲を覆うように前記内筒２１がそれぞれ設けられている。
【００１７】
各内筒２１は、その先端部が前記押しボタン部材２０の内部に挿入し、かつ押しボタン部材２０と連繋するための段差部２６を外周部に形成したもので、これより上方の中空筒状の内面には逆円錐形の反射面が形成され、この反射面が、発光ダイオード２５の光を効率良く反射させるものである。
【００１８】
この段差部２６の幅は、押しボタン部材２０の肉厚と等しく、押しボタン部材２０の内側に内筒２１の上部が嵌合すると、押しボタン部材２０の側面と内筒２１の側面とが面一となるものである。
【００１９】
また、各内筒２１は、段差部２６より下方の側面の下端が延設され、表装部２４の長手方向に向かい合った二つの部位からなる帯状の遮光片２７が形成されたもので、この遮光片２７は、前記押しボタン部材２０に連動して上下動するものである。なお、この押しボタン部材２０と前記内筒２１は、バネ２２によって押しボタン部材２０の表面の一部が、前記表装部２４から常時突出するよう付勢されている。
【００２０】
前記の発光ダイオード２５は、発光部の底面から二本の脚を下方に延ばし、それらの脚は、基板１９にハンダ付けされている。この基板１９上には、一定の高さを持った立方体状の投光部２８と、同じく立方体状の受光部２９とを有し、それぞれの底部が凹字状に連結されたスイッチであるフォトセンサ３０が、各々のストップボタン１３ａ〜１３ｃについて設けられている。
なお、凹字状に形成されたフォトセンサ３０の前記凹部は、投光部２８から受光部２９への光路となる部分で、光軸形成部となっている。
【００２１】
したがって、ストップボタン１３ａ〜１３ｃのいずれかを押し込むと、各ストップボタン１３ａ〜１３ｃと連動する各内筒２１の遮光片２７が、フォトセンサ３０の光軸形成部の形成されている光軸を遮断し、図３のリール５ａ〜５ｃの回転を止めるように構成されている。
【００２２】
また、前記基板１９の反対側には、コネクタ４２が設けられる。このコネクタ４２は、フォトセンサ３０の信号を、パチスロ機１内部に設けられたリール５ａ〜５ｃを駆動あるいは停止させるステッピングモータ（図示省略）のドライブ回路（図示省略）と、発光ダイオード２５への電流供給を行う回路とを接続するものである。
【特許文献１】特開平  ８−２９８０４２号公報（特許請求の範囲、図５）
【発明の開示】
【発明が解決しようとする課題】
【００２３】
前記構成を有するスイッチ装置は、押しボタン部材２０の上下動を凹状に形成されたフォトセンサ３０によって検知しているので、遊技者が不正に出力した静電気および電波などのより誤動作するおそれがある。
【００２４】
また、特許文献１においては、側面視が凹状のフォトセンサを使用しているので、フォトセンサの高さを低くすることは感度を下げるので、その高さを維持するには、基板とスイッチケースの表装部２４との間隔を狭くすることができず、スイッチケース自体を小型化することができないという不都合があった。
【００２５】
この発明はかかる現状に鑑み、スイッチケースを小型化することができ、遊技者などによる不正行為によるスイッチ装置の誤動作を確実に防止することができる遊技機の押しボタン装置を提供せんとするものである。
【課題を解決するための手段】
【００２６】
前記の目的を達成するため、この発明の請求項１に記載の発明は、
遊技機の前面扉表面に顕出する表装板を有するケース本体に、ストップボタンを構成する押しボタンの複数を、その頂部がそれぞれ前記表装板から常時突出し、かつ下方に押圧可能に配置するとともに、
前記ケース本体下部に設けた基板に、それぞれリードスイッチを、前記各押しボタンの下部の一部に取付けた磁石に相対させて配置し、
前記押しボタンの下降によって、押しボタンに付設された磁石を前記リードスイッチに近接させて作動させ、もってリールを回転もしくは停止させ、かつ前記押しボタンを裏面側から照射する発光ダイオードへ電流を供給もしくは停止するよう構成されていること
を特徴とする遊技機の押しボタン装置である。
【００２７】
また、この発明の請求項２に記載の発明は、
請求項１に記載の遊技機の押しボタン装置において、
前記押しボタンは、
頂部が閉塞された円筒状の押しボタン主体と、この押しボタン主体に内装される円筒状の内筒と、この内筒の下部に垂設された帯状の操作片と、この内筒の中心部に配置される発光ダイオードとから構成されるもので、前記操作片の先端部には磁石が付設されていること
を特徴とするものである。
【００２８】
また、この発明の請求項３に記載の発明は、
請求項１に記載の遊技機の押しボタン装置において、
前記スイッチケースは、
表装板に複数の有底の開口が形成され、各有底部の外周部には、前記操作片を挿通させるための挿通孔がそれぞれ形成され、前記有底部と前記押しボタンを構成する内筒底面との間にバネが弾装されていること
を特徴とするものである。
【００２９】
また、この発明の請求項４に記載の発明は、
請求項１に記載の遊技機の押しボタン装置において、
前記押しボタンは、
頂部が閉塞された円筒状の押しボタン主体と、この押しボタン主体に内装される円筒状の内筒とからなるもので、前記内筒は、その内周面を上端から下端に向けて肉厚となる逆円錐形に形成して反射面としたこと
を特徴とするものである。
【００３０】
また、この発明の請求項５に記載の発明は、
請求項１に記載の遊技機の押しボタン装置において、
前記基板は、
前記発光体が上面側に、リードスイッチおよびはコネクタ等の電装部品は、下面側に設けられていること
を特徴とするものである。
【００３１】
また、この発明の請求項６に記載の発明は、
遊技機に遊技動作を行わせるボタン操作を行うための操作面を形成するものとして、前記ボタン操作の方向に移動可能で、遊技の結果を出すための前記ボタン操作を行うための押しボタン部材と、押しボタン部材の裏面から光を照射する発光体と、押しボタン部材に連動して、前記遊技機内部の回路の制御を行うためのボタン連動手段とからなる遊技機の押しボタン装置において、
前記ボタン連動手段は、押しボタン部材の下端側に設けた磁石と、この磁石に反応するリードスイッチとからなること
を特徴とした遊技機の押しボタン装置である。
【発明の効果】
【００３２】
この発明の遊技機の押しボタン装置は、スイッチの開閉機構として、磁石とリードスイッチとを使用し、前記押しボタンの一部に磁石を設けるとともに、この磁石と相対させてリードスイッチを押しボタンの下部に配置された基板に設けたので、遊技者が押しボタンを操作することによって、リールの回転もしくは停止、押しボタンを照射する発光ダイオードへの電流の供給と停止を確実に行うことができる。
【００３３】
特に、この発明においては、前記ボタンの下部に配置された基板にリードスイッチを設けるに際し、押しボタンに設けた磁石と相対する基板の裏側にリードスイッチを配置したので、遊技者が不正に出力した静電気や電波などによる誤動作がない。また、必要に応じてスイッチ機構を収納するスイッチケースを開けたとき、リードスイッチを直視することができるので、スイッチ機構への不正操作を容易に発見することができるとともに、不正操作のための機器類の装着を未然に防止することができる。
【００３４】
また、スイッチ機構を磁石と、この磁石によってＯＮ／ＯＦＦするリードスイッチを採用したので、スイッチケースの厚みを減らし、スイッチケースをコンパクト化することを可能としている。
【発明を実施するための最良の形態】
【００３５】
以下、添付の図面に基づいて、この発明にかかる遊技機の押しボタン装置の実施形態を説明する。
なお、以下に示す実施形態の遊技機の押しボタン装置は、コインを使用して遊技を行う代表的な遊技機としてのパチスロ機に適用したものであるが、この発明は、押しボタンの下部と相対する位置にリードスイッチを配置し、このリードスイッチの開閉を押しボタンに設けた磁石によって行うという要旨を変更しない範囲内において、種々変更が可能なものである。
【００３６】
この押しボタン装置を搭載したパチスロ機１の全体構成は、前記図３で説明したのと同様であるので、その説明を省略するが、図１は、この発明の遊技機の押しボタン装置の一実施形態を示す縦断側面図で、前記従来例を示す図４と同一構成要素には、同一参照符号を付したものである。
【００３７】
この発明の押しボタン装置Ｓは、図１で明らかなように、パチスロ機１の前面扉２上に顕出する表装板２４を有する合成樹脂製のケース本体１８ａと、このケース本体１８ａの底部に着脱自在に装着される底板１８ｂからなるスイッチケース１８と、このスイッチケース１８にその頂部を顕出させた状態で装着される押しボタン部材２０と、この押しボタン部材２０の下方のケース本体１８ａ内に配置される基板１９と、この基板１９に搭載される発光ダイオード２５、リードスイッチ４１などの部品とから構成されている。
【００３８】
前記押しボタン部材２０は、具体的には、ストップボタン１３ａ〜１３ｃに相当するもので、各押しボタン部材２０は、頂部が閉塞された円筒状の押しボタン主体２０ａと、この押しボタン主体２０ａに内装される円筒状の内筒２１とからなるもので、前記内筒２１は、その内周面を上端から下端に向けて肉厚となる逆円錐形に形成して反射面２１ａとしたものである。
【００３９】
前記内筒２１は、外周部に押しボタン部材２０の開口端を係着させるための段差部２６を有し、この段差部２３の相対する部位にそれぞれ断面が円弧状の帯状片３９，３９を一体的に垂設させたもので、この帯状片３９のいずれか一方の先端部には、磁石４０が固着されている。
【００４０】
かかる構成を有する押しボタン部材２０は、それぞれスイッチケース１８のケース本体１８ａの表面部に所要間隔で並列的に配置された開口、具体的には、表装板２４から下方に延出させた有底の円筒体２３内に装着される。
【００４１】
この有底の円筒体２３の底面には、前記帯状片３９，３９を挿通させるための透孔（図示せず）が弧状に形成されているので、内筒２１を内装した押しボタン部材２０を、帯状片３９，３９の位置と前記透孔の位置を合致させた状態で円筒体２３（開口）に挿入すれば、各帯状片３９が透孔を貫通して押しボタン部材２０は、円筒体２３（開口）に装着される。
【００４２】
その際、前記各内筒２１の底面部と円筒体２３（開口）の底面との間にバネ２２を介装させて、押しボタン部材２０の頂部を表装板２４の表面から突出させるよう構成されている。また、押しボタン部材２０の頂部裏面には、プラスチックフィルムからなる光拡散フィルム２１ｃが装着され、後述する発光ダイオード２５の点灯時に、発光ダイオード２５の光を拡散させ、押しボタン部材２０の表面を均一に照射するよう構成されている。
【００４３】
また、各押しボタン部材２０内には、それぞれ発光ダイオード２５が、その周囲を内筒２１の反射面２１ａで囲繞されるように配置されるもので、この発光ダイオード２５は、発光部の底面から延出する二本の脚を、それぞれ前記内筒２１の帯状片３９の下方に装着された基板１９にハンダ付けによって固定されている。
【００４４】
前記基板１９は、プリント配線が形成された複数の押しボタン２０，２０・・・共用のもので、各押しボタン部材２０を構成する内筒２１の帯状片３９の先端部に設けられた磁石４０と相対する基板１９の裏面には、それぞれリードスイッチ４１が装着されている。
【００４５】
このリードスイッチ４１は、周知のごとく、細長のガラス管（絶縁容器）４１ａを備えたもので、図示しないが、ガラス管（絶縁容器）４１ａ内に長手方向に沿って一対のリード片が封入されたもので、各リード片は、その一端（接点）同士が互いに接触する位置に配置され、外部磁界（図示せず）の有無に応じて、一端（接点）同士が互いに接触・非接触状態とされる構成を有するものである。
【００４６】
このリード片の他端は、ガラス管４１ａの外部に延出し、外部端子４１ｂを構成するもので、この外部端子４１ｂは、基板１９、つまり、基板上に形成された導体パターンと半田付け等によって接続される。
なお、基板１９の半田実装面（裏面）と反対側である部品取付面側には、コネクタ４２等の電装品が設けられる。
【００４７】
以下、かかる構成を有するスイッチ装置Ｓについて、その動作を説明すると、図２はこの発明で使用する基板１９の回路図で、ボタン入力と発光ダイオード２５の関係を示すもので、ＩＣチップによるコネクタ４２は、リードスイッチ４１の信号をパチスロ機１の内部にあるリール５ａ〜５ｃ（図３参照）を駆動あるいは停止させるステッピングモータ（図示省略）のドライブ回路（図示省略）や、発光ダイオード２５への電流供給を行う回路に送る。
【００４８】
ストップボタン１３ａ〜１３ｃを構成する押しボタン２０のいずれかを押し込むと、押しボタン部材２０は、下方に押下げられ、表装板２４の表面から沈むと同時に、内筒２１も連動して下方に押下げられるので、内筒２１に付設された帯状片３９も下降して基板１９に近接する。
【００４９】
基板１９の裏面側には、コネクタ４２に並んでリードスイッチ４１が設けられているので、帯状片３９の下降によって、先端部に設けた磁石４０がリードスイッチ４１に近づくと、一対のリード片の一端（接点）同士が互いに接触し、このリードスイッチ４１が閉じられる。
【００５０】
その結果、押しボタン装置Ｓが作動し、コネクタ４２からの出力で発光ダイオード２５が点灯するとともに、前記リール５ａ〜５ｃを駆動あるいは停止させるステッピングモータへの給電が停止され、リール５ａ〜５ｃの回転が止められ、押しボタン部材２０に対する押圧を解除すると、バネ２２の付勢力によって、押しボタン部材２０が元の位置に復帰するため、前記磁石４０も基板１９から離れ、リードスイッチ４１も元の状態に復帰して回路が遮断されるので、発光ダイオード２５が消灯し、ステッピングモータに電力が供給される。したがって、再度ゲームの開始によって、遊技者がスタートボタン１２を操作されることによって、各リール５ａ〜５ｃは回動する。
【産業上の利用可能性】
【００５１】
なお、前記実施形態はストップボタン１３ａ〜１３ｃについて述べたが、同様な構成はベットボタン９、マックスベットボタン１０およびその他のボタンスイッチにも適用可能で、遊技機としてはスロットマシンいわゆるパチスロ機のみならず、パチンコ機やその他のゲーム機のボタンスイッチにも適用可能である。
【図面の簡単な説明】
【００５２】
【図１】この発明の遊技機にかかる押しボタン装置の要部を示す部分拡大断面図である。
【図２】この発明の遊技機の押しボタン装置で使用する基板の回路図である。
【図３】パチスロ機の全体の斜視図である。
【図４】従来のスイッチ装置の例を示す概略説明図である。
【符号の説明】
【００５３】
１            パチスロ機
２            前面扉
３            筐体
３ａ          パネル表示部
４ａ〜４ｃ    表示窓
５ａ〜５ｃ    リール
１２            スタートボタン
１３ａ〜１３ｃ  ストップボタン
１８            スイッチケース
１８ａ          ケース本体
１８ｂ          底板
１９            基板
２０            押しボタン部材
２１            内筒
２２            コイルバネ
２３            開口
２４            表装部
２５            発光ダイオード
２６            段差部
３９            帯状片
４０            磁石
４１            リードスイッチ
４２            コネクタ
【図１】
2006175115.tif 000003
【図２】
2006175115.tif 000004
【図３】
2006175115.tif 000005
【図４】
2006175115.tif 000006